(57)【要約】【課題】簡単な構成で手動操作と電動操作の切り替えを確実に行え、かつ瞬時の切り替えが可能であるとともに、小型および高品位なレンズ鏡筒を実現する。【解決手段】手動と電動操作の切り替えを行う駆動伝達ギアについて、移動方向の両端に手動および電動操作による反閇操作をカム環に伝える構成にする。【選択図】図１
2018194761.tif 000002
【特許請求の範囲】
【請求項１】
レンズと、
手動による手動変倍操作手段と、
電動による電動変倍操作手段と、
該レンズを保持し該手動変倍操作手段と該電動変倍操作手段の操作により、回転することで該レンズを光軸に平行に移動させ、外周の一部にギア部を備えるカム環と、
該手動変倍操作手段および該電動変倍操作手段の一方の操作の作用を該カム環に伝達し、かつ各操作手段のいずれかを選択する駆動部を備えた駆動伝達ギアと、
該駆動伝達ギアへ該手動変倍操作手段の操作による力を伝達する手動伝達ギアと、
該駆動伝達ギアへ該電動変倍操作手段の操作に応じて力を伝達する回転部を備えた駆動モータと、
該駆動部の動作の制御および、該電動変倍手段の操作の検知および制御をおこなう制御基板と、
を有するレンズ鏡筒において、
前記駆動伝達ギアは前記駆動モータの回転軸の軸方向であって、軸方向に平行な両端にそれぞれ手動伝達ギアおよび駆動モータの回転を前記駆動伝達ギアへ伝達する駆動伝達面を備え、
該駆動伝達面は、前記駆動モータの回転を伝達するモータ伝達面と、手動操作による前記手動伝達ギアの回転を伝達する手動伝達面を備え、
前記駆動伝達ギアは前記回転軸の軸方向に移動可能に配置され、
前記駆動伝達ギアは前記電動変倍操作手段が操作されていないときには前記制御基板の制御によって前記駆動部を移動制御し、前記駆動部前記手動伝達面と当接することを、特徴とするレンズ鏡筒。
【請求項２】
前記駆動部は直動式のアクチュエータであることを特徴とする請求項１に記載のレンズ鏡筒。
【請求項３】
前記駆動伝達ギアは前記軸方向且つ手動伝達ギア側へ付勢する付勢手段を有し、該付勢手段は前記回転軸上の軸方向に平行にコイルバネとして配置することを特徴とする請求項１又は請求項２に記載のレンズ鏡筒。
【請求項４】
前記駆動伝達ギアは前記駆動モータの回転軸上に配置され、かつ前記回転軸上を軸方向に平行移動可能に配置することを特徴とする請求項１乃至請求項３の何れか一項に記載のレンズ鏡筒。
【発明の詳細な説明】
【技術分野】
【０００１】
本発明は、レンズを収容保持するレンズ枠を有するレンズ鏡筒に関し、例えばデジタルスチルカメラ、ビデオカメラ、テレビカメラ等の撮像装置や、交換タイプのレンズ装置、双眼鏡等の光学装置に好適なものである。
【背景技術】
【０００２】
従来、カメラに使用されるレンズ鏡筒には変倍のためのズームレンズや合焦のためのフォーカスレンズが設けられており、これらのレンズは手動操作と電動操作の切り替えが可能となって構成されている。この時、省スペースでスムーズな切り替え構造が課題となり、小型で瞬時に切り替えられる構成が求められている。上記の課題を解決する方法として、特許文献１や２に開示されているような構成が提案されている。
【０００３】
特許文献１に示すように、変倍操作における電動操作と手動操作について、クラッチ機構によって切り替え、かつクラッチによる動力の伝達はクラッチ構造の一端に設けられた面で行っている。また、クラッチはフォーカスレンズの駆動するモータに隣接してレンズの径方向に配置される。
【０００４】
しかしながら、この構成では、電動操作と手動操作のそれぞれの力の伝達を行うクラッチ機構を備えた軸が各々必要になるため、径方向に大型化し持ちづらくなることで操作性が低下することが懸念される。また、クラッチを動かすために、モータが回転し、モータの回転によってクラッチが回転し、クラッチが回転することでクラッチの回転軸に構成されたネジ部によって回転運動を直線運動に切り替え、クラッチが光軸方向に移動する。即ちモータの回転を光軸方向の移動に変換するため、瞬時の切り替え操作に対して時間的に遅れが発生するため操作性がよくない。
【０００５】
また、特許文献２に示すように、電動操作と手動操作の切り替えをスライド式のスイッチを操作して行う。尚、スライド式のスイッチに連動して手動操作と電動操作を切り替えるギアが動き、電動操作を行うモータと噛み合う位置まで動く。
【０００６】
しかしながら、この構成では、スライドスイッチの操作によって手動操作と電動操作を切り替えた後に変倍操作を行う。このため瞬時の切り替えができない構成であり操作性がよくない。
【先行技術文献】
【特許文献】
【０００７】
【特許文献１】特許第４５７７５９９号公報
【特許文献２】特開２００８−５８９１４号公報
【発明の概要】
【発明が解決しようとする課題】
【０００８】
そこで、本発明の目的は、省スペースな構成で手動操作と電動操作の切り替えを確実に行え、かつ瞬時の切り替えが可能であるとともに、小型のレンズ鏡筒を実現することにある。
【課題を解決するための手段】
【０００９】
上記の目的を達成するために、本発明に係るレンズ鏡筒は、
レンズと、
手動による手動変倍操作手段と、
電動による電動変倍操作手段と、
該レンズを保持し該手動変倍操作手段と該電動変倍操作手段の操作により、回転することで該レンズを光軸に平行に移動させ、外周の一部にギア部を備えるカム環と、
該手動変倍操作手段および該電動変倍操作手段の一方の操作の作用を該カム環に伝達し、かつ各操作手段のいずれかを選択する駆動部を備えた駆動伝達ギアと、
該駆動伝達ギアへ該手動変倍操作手段の操作による力を伝達する手動伝達ギアと、
該駆動伝達ギアへ該電動変倍操作手段の操作に応じて力を伝達する回転部を備えた駆動モータと、
該駆動部の動作の制御および、該電動変倍手段の操作の検知および制御をおこなう制御基板と、
を有するレンズ鏡筒において、
前記駆動伝達ギアは前記駆動モータの回転軸の軸方向であって、軸方向に平行な両端にそれぞれ手動伝達ギアおよび駆動モータの回転を前記駆動伝達ギアへ伝達する駆動伝達面を備え、
該駆動伝達面は、前記駆動モータの回転を伝達するモータ伝達面と、手動操作による前記手動伝達ギアの回転を伝達する手動伝達面を備え、
前記駆動伝達ギアは前記回転軸の軸方向に移動可能に配置され、
前記駆動伝達ギアは前記電動変倍操作手段が操作されていないときには前記制御基板の制御によって前記駆動部を移動制御し、前記駆動部前記手動伝達面と当接することを、特徴とする。
【発明の効果】
【００１０】
本発明に係るレンズ鏡筒によれば、駆動伝達ギアの移動方向の両端に手動および電動操作による変倍操作をカム環に伝える構成にすることで、切り替えに必要なスペースを光軸方向に省スペースで配置できる。また、電動操作を行っていない時には、常に手動操作を選択する制御部を有することで、手動と電動を切り替える操作を行う必要がないため高い操作性を実現できる。
【図面の簡単な説明】
【００１１】
【図１】本発明の実施形態１におけるレンズユニットの手動変倍操作時における変倍操作切り替え機構部分の光軸を含む面の断面図
【図２】本発明の実施形態１におけるレンズユニットを含むカメラ装置全体の斜視図
【図３】本発明の実施形態１におけるレンズユニットの光軸を含む面の断面図
【図４】本発明の実施形態１におけるレンズユニットの電動変倍操作時における変倍操作切り替え機構部分の断面拡大図
【図５】本発明の実施形態１におけるカメラ装置の変倍手順のフローチャート
【図６】本発明の実施形態２におけるレンズユニットの手動変倍操作時における変倍操作切り替え機構部分の断面拡大図
【図７】本発明の実施形態２におけるレンズユニットの電動変倍操作時における変倍操作切り替え機構部分の断面拡大図
【図８】本発明の実施形態２におけるカメラ装置の変倍手順のフローチャート
【発明を実施するための形態】
【００１２】
以下に、本発明の好ましい実施の形態を、添付の図面に基づいて詳細に説明する。
【実施例１】
【００１３】
以下、図１から図５を参照して、本発明の第１の実施例による、レンズ鏡筒について説明する。
【００１４】
（全体構成）
図２において、１００は任意の光学性能を有する交換レンズ装置である。１００Ａは後述するカメラ装置２００と連結する、連結部であるマウント、ＭＦＲは回転することで被写体を手動で合焦する手動合焦リング、ＭＺＲは回転することで被写体の倍率を手動で変更する手動変倍リングである。
【００１５】
２００は交換レンズ装置１００とマウント１００Ａを介して組み付いて、被写体を撮影し撮影した画像を記録および編集するカメラ装置である。ＲＳＷは押圧することで、被写体に電動で合焦すると共に、シャッターを切る機能を備えたシャッタースイッチ、ＰＺＳＷは図のＷおよびＴ方向に動かすことで、電動で被写体の倍率を広角および望遠側に変倍する電動変倍スイッチである。シャッタースイッチＲＳＷおよび電動変倍スイッチＰＺＳＷは電気的に交換レンズ装置１００と接続され、各スイッチを操作することで、交換レンズ装置１００に備えられた所定のレンズ群を所望の位置に移動する。
【００１６】
（レンズ装置構成）
図３は光学レンズ装置１００の光軸を含む面の断面図である。図３において、１は最も被写体側に配置され後述する直進筒８に保持され、後述するカム筒７の回転によって変倍時に光軸方向に移動する第１のレンズユニットである。２は後述する案内筒６に保持される保持部を備えた第２のレンズユニットである。３は後述する案内筒６に保持される保持部を備え、後述するカム筒７の回転によって変倍時に光軸方向に移動する第３のレンズユニットである。
【００１７】
４は後述する案内筒６に保持および固定される固定部を備え、後述するカム筒７の回転によって変倍時に光軸方向に移動すると共に後述する第５のレンズユニット５および合焦駆動部１０を保持する第４のレンズユニットである。５は合焦操作時に電動でレンズを光軸方向に移動する第５のレンズユニットである。
【００１８】
６は各レンズユニットに設けられた不図示のカムフォロワと接して各レンズユニットが光軸方向に直進移動するためのガイドとなる溝である直進溝６Ａ、６Ｂを備え、後述する固定筒９に固定される案内筒である。７は各レンズユニットに設けられた不図示のカムフォロワと接続される任意の軌跡を有するカム溝７Ａ、７Ｂを備え、回転することでカム溝の軌跡と案内筒６に設けられた直進溝６Ａ、６Ｂに応じて所定の位置にレンズを移動するカム筒である。
【００１９】
８は第１のレンズユニット１と組みつきカム筒７の回転によって光軸方向に移動する直進筒である。９はカメラ装置２００と接続する不図示の連結機構と組みつく固定筒である。固定筒９には手動合焦リングＭＦＲと、手動変倍リングＭＺＲが各々回転可能に組みつく。
【００２０】
１０は第４のレンズユニット４に保持される合焦駆動部である。合焦駆動部１０は第５のレンズユニット５と不図示の連結機構によって連結され、合焦駆動部１０が動作することで第５のレンズユニット５を、光軸と平行に、且つ第４のレンズユニット４に対して相対的な位置を変化させる。合焦駆動部１０は後述する制御基板２６と電気的に接続されシャッタースイッチＲＳＷや手動合焦リングＭＦＲの操作によって第５のレンズユニット５を光軸方向の所定の位置に移動する。
【００２１】
（変倍構造詳細）
図１から図５を用いて本発明の変倍機構を有するレンズ鏡筒の構成について説明する。図１は交換レンズ装置１００の手動変倍操作時における変倍操作切り替え機構部分の断面拡大図である。
【００２２】
図１において、７Ｃはカム筒７に組み付き、カム筒７の回転に対して、一体的に回転するカムギア、１１は手動変倍リングＭＺＲと一体で構成されると共に、手動変倍リングＭＺＲの内径に配置されたギア部を備える変倍リングギア、１２は変倍リングギア１１の動きに連動して回転するギア部を備えた手動伝達ギアである。
【００２３】
１３は変倍リングギア１１および後述する電動伝達ギア２１と駆動伝達ギア２２の回転軸となる伝達ガイド、１４は手動伝達ギア１２の回転力を伝達ガイド１３に伝えないための手動伝達ベアリング、１５は手動伝達ギア１２に一体的に構成され、回転軸方向の端面に手動伝達ギア１２の回転を伝達する摩擦面を備えた手動伝達面である。
【００２４】
１６は後述する駆動伝達ギア２２を伝達ガイド１３の軸方向と並行に移動するための駆動部である。駆動部１６は不図示の圧電素子を有すると共に電動変倍スイッチＰＺＳＷに対して、後述する制御基板２６を介して電気的に接続さる。駆動部１６は後述の固定板２４に沿って、かつ圧電素子の圧電効果によって、固定板２４との圧力差を時間的に変化させながら固定板２４上を移動する。即ち駆動部１６は固定板２４の上を直線的に移動する直動型のアクチュエータである。
【００２５】
１７は電動変倍スイッチＰＺＳＷに対して、後述する制御基板２６を介して接続され回転軸を有する駆動モータ、１８は駆動モータ１７の回転軸に取り付く駆動モータギア、１９は駆動モータギア１８の動きに連動して回転するギア部を備えた電動伝達ギア、２０は電動伝達ギア１９に一体的に構成され、回転軸方向の端面に電動伝達ギア１９の回転を伝達する摩擦面を備えた電動伝達面、２１は電動伝達ギア１９の回転力を伝達ガイド１３に伝えないための電動伝達ベアリングである。
【００２６】
２２は伝達ガイド１３の軸方向に移動可能に配置され、カムギア７Ｃと噛み合うギア部を備えた駆動伝達ギアである。駆動伝達ギア２２の軸方向には各々の端面に摩擦面を備えており、一方の端面には手動伝達面１５へ摩擦により力を伝達する手動カム伝達面２２Ａを備える。もう一方の端面には電動伝達面２０へ摩擦により力を伝達する電動カム伝達面２２Ｂを備える。
【００２７】
２３は駆動伝達ギア２２の回転力を伝達ガイド１３に伝えないための駆動伝達ベアリング、２４は固定筒９と不図示の固定手段によって固定され、駆動部１６の駆動方向に沿って配置される固定板、２５は固定板２４と駆動伝達ギア２２を連結する連結部材、２６はカメラ装置２００と電気的に接続され、交換レンズ装置１００内の駆動部１６および駆動モータへ電力を供給し、且つ各操作の検知や通信制御などを行う制御基板である。
【００２８】
このような構成において図１、図２、図３、図５を用いて手動時の変倍操作を説明する。
【００２９】
まず、カメラ装置２００の不図示の電源を入れると、ステップＳ１０１においてカメラ装置２００に内蔵された不図示の電池からカメラ装置２００および制御基板２６を介して交換レンズ装置１００に電力が供給され駆動部１６の電源が入る。駆動部１６の電源が入ると、ステップＳ１０２において制御基板２６の制御指令により、駆動部１６は固定板２４に沿って手動伝達面１５に向かって移動する。駆動部１６は連結部材２５を介して駆動伝達ギア２２と連結しており、ステップＳ１０３として駆動伝達ギア２２の手動カム伝達面２２Ａと手動伝達面１５が当接する。このとき、手動カム伝達面２２Ａと手動伝達面１５は摩擦が働きやすい粗い面である。ここまでの一連の動作はカメラ装置２００の電源が入ってから制御基板２６の制御指令により、自動で行われる。ここでステップＳ１０４として電動変倍スイッチＰＺＳＷの操作を行なわないため、ステップＳ１１５へ移行する。
【００３０】
次に手動変倍リングＭＺＲを回転操作すると、ステップＳ１１６として回転方向に応じて変倍リングギア１１が回転する。次にステップＳ１１７として変倍リングギア１１の回転に連動して手動伝達ギア１２が回転する。手動伝達ギア１２と駆動伝達ギア２２には当接面に摩擦が働いていることで、手動伝達ギア１２の回転と連動して駆動伝達ギア２２が回転する。駆動伝達ギア２２は伝達ガイド１３上で回転する。ステップＳ１１８として駆動伝達ギア２２の回転はカムギア７Ｃへ伝わりカム筒７を回転する。カム筒７が回転するとカム筒７に設けられたカム溝７Ａ、７Ｂおよび案内筒６に設けられた直進溝６Ａ、６Ｂに沿って各レンズユニットは不図示のカムフォロワを介してステップＳ１１９として光軸方向の任意の位置に導かれる。ステップＳ１１４として所望の変倍位置に操作ができたと使用者が判断すると変倍操作が完了する。
【００３１】
次に図２、図３、図４、図５を用いて電動時の変倍操作を説明する。
【００３２】
カメラ装置２００の電源を入れてから手動伝達面１５と手動カム伝達面２２Ａが当接するまでのステップＳ１０３までの動作は手動時と同一のため説明は割愛する。
【００３３】
ステップＳ１０４として電動変倍スイッチＰＺＳＷを操作する。電動変倍スイッチＰＺＳＷは制御基板２６に接続された不図示の操作検知部にて操作を検知し、ステップＳ１０５として制御基板２６の制御により、駆動部１６は電動伝達面２０に向かって移動する。先に記述した通り、駆動部１６は連結部材２５を介して駆動伝達ギア２２と連結しており、ステップＳ１０６として駆動伝達ギア２２の電動カム伝達面２２Ｂと電動伝達面２０が当接する。このとき、電動カム伝達面２２Ｂと電動伝達面２０は摩擦が働きやすい粗い面である。ここまでの一連の動作は電動変倍スイッチＰＺＳＷを操作してから駆動モータ１７が回転を始める前に制御基板２６の制御指令により、自動で行われる。
【００３４】
次にステップＳ１０７として駆動モータ１７へ電源が供給され駆動モータ１７が回転する。ステップＳ１０８として駆動モータ１７の回転によって回転軸に組み付いた駆動モータギア１８が回転する。駆動モータギア１８の回転に連動して、電動伝達ギア１９が回転する。電動伝達ギア１９の回転により、一体的に構成された電動伝達面２０と駆動伝達ギア２２には当接面に摩擦が働いていることで、電動伝達ギア１９の回転に連動して駆動伝達ギア２２が回転する。駆動伝達ギア２２は伝達ガイド１３上で回転する。駆動伝達ギア２２の回転はステップＳ１０９としてカムギア７Ｃへ伝わりカム筒７を回転する。カム筒７が回転するとカム筒７に設けられたカム溝７Ａ、７Ｂおよび案内筒６に設けられた直進溝６Ａ、６Ｂに沿ってステップＳ１１０として各レンズユニットは不図示のカムフォロワを介して光軸方向の所定の位置に導かれる。
【００３５】
ステップＳ１１として電動変倍スイッチＰＺＳＷの操作を止めると、ステップＳ１１２として駆動部１６に電源が入り、制御基板２６の制御指令により、駆動部１６は固定板２４に沿って手動伝達面１５に向かって移動する。ステップＳ１１３として移動した駆動部１６と連結した駆動伝達ギア２２の手動カム伝達面２２Ａと手動伝達面１５が当接し、手動変倍操作を選択した状態で変倍操作は終了する。この時、ステップＳ１１４として所望の変倍位置に操作ができたと使用者が判断すると変倍操作が完了する。
【００３６】
上記構成により、本発明によれば、駆動伝達ギアの移動方向の両端に手動および電動操作による変倍操作をカム環に伝える構成にすることで、切り替えに必要なスペースを光軸方向に省スペースで配置できる。また、電動操作を行っていない時には、常に手動操作を選択する制御部を有することで、手動と電動を切り替える操作を行う必要がないため高い操作性を実現できる。また、駆動部に直動式のアクチュエータを用いることで、回転運動を直線移動に変換する構造に比べて瞬時の手動と電動の切り替えが可能であり、操作性が高い。また、電動操作を行っていない状態では常に手動操作を選択することで、どちらの操作かを選択する選択動作が不必要であり、常時手動操作が可能であるため操作性が高い。また、電動操作の検知に応じて手動操作から電動操作に切り替えることが可能であるため、手動操作部と電動操作部が異なる位置にあっても手動操作中に電動操作に瞬時に切り替えができ、操作性が高い。
【実施例２】
【００３７】
次に以下、図２および図３、図６から図８を用いて、本発明の第２の実施例による、レンズ鏡筒について説明する。第１の実施例と異なる構成について詳細に説明する。
【００３８】
図６は交換レンズ装置１００の手動時の変倍操作切り替え機構部分の断面拡大図である。
【００３９】
３１は駆動モータ１７と、電動伝達ギア１９と、手動伝達ギア１２と、駆動伝達ギア２２の回転軸を兼ねるモータ伝達ガイド、３２はモータ伝達ガイド３１の軸上に配置され、駆動伝達ギア２２を手動伝達ギア１２の方向へ付勢する力を備えた付勢バネである。尚、第１の実施例に対して電動伝達ベアリング２１を除して駆動モータ１７の回転を直接電動伝達ギア１９へ伝達する構成としている。このような構成において手動時の変倍操作を説明する。
【００４０】
まず、カメラ装置２００の不図示の電源を入れると、カメラ装置２００に内蔵された不図示の電池からカメラ装置２００および制御基板２６を介して交換レンズ装置１００に電力が供給される。このとき、ステップＳ２０１としてカメラ装置の電源が入っていなくとも付勢バネ３２の作用によって駆動伝達ギア２２は手動伝達面１５に向かって付勢される。手動伝達面１５に所定の力で付勢することで、ステップＳ２０２として手動伝達面１５と手動カム伝達面２２Ａが当接した状態が保持される。このとき、手動カム伝達面２２Ａと手動伝達面１５は摩擦が働きやすい粗い面である。ここまでの一連の動作はカメラ装置２００の電源が入ってから制御基板２６の制御指令によらず、付勢バネ３２の作用によって、決定される。ここでステップＳ２０４として電動変倍スイッチＰＺＳＷの操作を行なわないため、ステップＳ２１４へ移行する。
【００４１】
次に手動変倍リングＭＺＲを回転操作すると、ステップＳ２１５として回転方向に応じて変倍リングギア１１が回転する。変倍リングギア１１の回転に連動して手動伝達ギア１２が回転する。手動伝達ギア１２と駆動伝達ギア２２には当接面に摩擦が働いていることで、ステップＳ２１６として手動伝達ギア１２の回転と連動して駆動伝達ギア２２が回転する。駆動伝達ギア２２は伝達ガイド１３上で回転する。駆動伝達ギア２２の回転はステップＳ２１としてカムギア７Ｃへ伝わりカム筒７を回転する。カム筒７が回転するとカム筒７に設けられたカム溝７Ａ、７Ｂおよび案内筒６に設けられた直進溝６Ａ、６Ｂに沿って各レンズユニットは不図示のカムフォロワを介してステップＳ２１８として光軸方向の所定の位置に導かれる。ステップＳ２１３として所望の変倍位置に操作ができたと使用者が判断すると変倍操作が完了する。変倍操作が完了する。
【００４２】
次に図２、図３、図７、図８を用いて電動時の変倍操作を説明する。
【００４３】
カメラ装置２００の電源の状態に関わらず手動伝達面１５と手動カム伝達面２２Ａが当接する動作は手動時と同一のため説明は割愛する。
【００４４】
ステップＳ２０３として電動変倍スイッチＰＺＳＷを操作する。電動変倍スイッチＰＺＳＷを操作すると制御基板２６に接続された不図示の操作検知部にて操作を検知し、制御基板２６の制御により、ステップＳ２０４として駆動部１６は電動伝達面２０に向かって移動する。先に記述した通り、駆動部１６は連結部材２５を介して駆動伝達ギア２２と連結しており、ステップＳ２０５として駆動伝達ギア２２の電動カム伝達面２２Ｂと電動伝達面２０が当接する。このとき、電動カム伝達面２２Ｂと電動伝達面２０は摩擦が働きやすい粗い面である。ここまでの一連の動作は電動変倍スイッチＰＺＳＷを操作してから駆動モータ１７が回転を始める前に制御基板２６の制御指令により、自動で行われる。次にステップＳ２０６として駆動モータ１７へ電源が供給されとして駆動モータ１７が回転する。
【００４５】
ステップＳ２０７として駆動モータ１７の回転によって回転軸に組み付いた駆動モータギア１８が回転する。ここで駆動モータギア１８の回転軸に一体的に構成された、電動伝達ギア１９が回転する。電動伝達ギア１９の回転により、一体的に構成された電動伝達面２０と駆動伝達ギア２２には当接面に摩擦が働いていることで、電動伝達ギア１９の回転に連動して駆動伝達ギア２２が回転する。動伝達ギア２２はモータ伝達ガイド３１上で回転する。ステップＳ２０８として駆動伝達ギア２２の回転はカムギア７Ｃへ伝わりカム筒７を回転する。カム筒７が回転するとカム筒７に設けられたカム溝７Ａ、７Ｂおよび案内筒６に設けられた直進溝６Ａ、６Ｂに沿って各レンズユニットは不図示のカムフォロワを介してステップＳ２０９として光軸方向の所望の位置に導かれる。電動変倍スイッチＰＺＳＷの操作を止めると、付勢バネ３２の付勢力の作用により、駆動伝達ギア２２は手動伝達面１５に向かって付勢され、手動変倍操作を選択した状態で変倍操作が完了する。この時、ステップＳ２１３として所望の変倍位置に操作ができたと使用者が判断すると変倍操作が完了する。
【００４６】
上記構成により、本発明によれば、付勢手段を設けて電動操作を行っていない時には、常に手動操作を選択することで駆動伝達面への移動および付勢に電力を使用しないため低消費電力のレンズ鏡筒を提供することができる。また、付勢手段を回転軸上にコイルバネで構成することで、径方向に大型化することなく、省スペースでの配置が可能である。また、駆動伝達ギアは駆動モータの回転軸上に配置され、回転軸上を軸方向に平行移動可能に配置することで、回転軸を１つにすることができるため、モータの配置スペースを省スペースで配置することが可能である。
【００４７】
以上、本発明の好ましい実施形態について説明したが、本発明はこれらの実施形態に限定されず、その要旨の範囲内で種々の変形及び変更が可能である。
【符号の説明】
【００４８】
１  第１のレンズユニット、２  第２のレンズユニット、
３  第３のレンズユニット、４  第４のレンズユニット、
５  第５のレンズユニット、６  案内筒、６Ａ  直進溝、６Ｂ  直進溝、
７  カム筒、７Ａ  カム溝、７Ｂ  カム溝、７Ｃ  カムギア、８  直進筒、
９  固定筒、１０  合焦駆動部、１１  変倍リングギア、１２  手動伝達ギア、
１３  伝達ガイド、１４  手動伝達ベアリング、１５  手動伝達面、１６  駆動部、
１７  駆動モータ、１８  駆動モータギア、１９  電動伝達ギア、
２０  電動伝達面、２１  電動伝達ベアリング、２２  駆動伝達ギア、
２２Ａ  手動カム伝達面、２２Ｂ  電動カム伝達面、２３  駆動伝達ベアリング、
２４  固定板、２５  連結部材、２６  制御基板、３１  モータ伝達ガイド、
３２  付勢バネ、１００  交換レンズ装置、１００Ａ  マウント、
２００  カメラ装置、ＭＦＲ  手動合焦リング、ＭＺＲ  手動変倍リング、
ＲＳＷ  シャッタースイッチ、ＰＺＳＷ  電動変倍スイッチ
【図１】
2018194761.tif 000003
【図２】
2018194761.tif 000004
【図３】
2018194761.tif 000005
【図４】
2018194761.tif 000006
【図５】
2018194761.tif 000007
【図６】
2018194761.tif 000008
【図７】
2018194761.tif 000009
【図８】
2018194761.tif 000010